(57)【特許請求の範囲】
【請求項１】
少なくとも１つの問題を含む答案用紙の答案画像を読み取る読取部と、
前記問題に関連する問題関連情報を記憶する記憶部と、
前記答案画像に基づいて、前記答案用紙に含まれる前記問題の各々の正答又はヒントを前記問題関連情報から抽出する第１抽出部と、
前記答案用紙に含まれる前記問題に対する解答者の解答を、前記答案画像に基づいて認識する解答認識部と、
前記解答認識部によって解答を認識できた認識可能解答の数を算出する算出部と、
前記認識可能解答が正解か否かを判定する正解判定部と、
前記正解判定部による判定結果に応じたコメントを取得するコメント取得部と、
前記第１抽出部が抽出した前記正答又は前記ヒントを印刷する印刷部と
を備え、
前記印刷部は、前記答案用紙に含まれる前記問題の総数に対する前記認識可能解答の数の比率が、第１閾値以上の場合にのみ、前記正答又は前記ヒントとともに、前記コメント取得部が取得した前記コメントを印刷する、画像形成装置。
【請求項２】
前記印刷部は、前記答案画像に前記ヒントの画像、又は前記ヒントの画像及び前記コメントの画像を付加して印刷する、請求項１に記載の画像形成装置。
【請求項３】
前記第１抽出部は、前記答案画像に含まれる識別情報に基づいて前記問題関連情報から前記正答又は前記ヒントを抽出する、請求項１又は請求項２に記載の画像形成装置。
【請求項４】
前記コメント取得部は、前記答案用紙に含まれる前記問題の正解率を取得する正解率取得部を含み、
前記印刷部は、前記コメントとして前記正解率を印刷する、請求項１〜請求項３のいずれか１項に記載の画像形成装置。
【請求項５】
前記記憶部は、所定の評価コメントを示す情報を更に記憶し、
前記コメント取得部は、
前記答案用紙に含まれる前記問題の正解率を取得する正解率取得部と、
前記正解率取得部によって取得された前記正解率と前記正解判定部による判定結果とに応じた前記評価コメントを前記記憶部から抽出する第２抽出部と
を含み、
前記印刷部は、前記第２抽出部が前記評価コメントを抽出すると、前記コメントとして前記評価コメントを印刷する、請求項１〜請求項４のいずれか１項に記載の画像形成装置。
【請求項６】
前記第２抽出部は、前記問題のうち、前記正解率が第３閾値未満であり、前記認識可能解答が正解である問題、及び／又は、前記正解率が第４閾値以上であり、前記認識可能解答が不正解である問題に対し、前記評価コメントを抽出し、
前記第４閾値は、前記第３閾値よりも大きい値を示す、請求項５に記載の画像形成装置。
【請求項７】
前記印刷部は、前記読取部が読み取った前記答案画像の数を示す読取数が、第５閾値以上の場合にのみ、前記コメントを印刷する、請求項４〜請求項６のいずれか１項に記載の画像形成装置。
【請求項８】
前記読取部が前記答案画像を読み取ると、前記答案画像の画像データを外部端末に送信する通信部を更に備える、請求項１〜請求項７のいずれか１項に記載の画像形成装置。
【請求項９】
外部端末と画像形成装置とを備える画像形成システムであって、
前記外部端末は、
前記画像形成装置と通信する第１通信部と、
正答又はヒントを記憶する記憶部と
を有し、
前記画像形成装置は、
前記外部端末と通信する第２通信部と、
少なくとも１つの問題を含む答案用紙の答案画像を読み取る読取部と、
前記答案画像に基づいて、前記答案用紙に含まれる前記問題の各々の正答又はヒントを前記第１通信部及び前記第２通信部を介して前記記憶部から抽出する抽出部と、
前記答案用紙に含まれる前記問題に対する解答者の解答を、前記答案画像に基づいて認識する解答認識部と、
前記解答認識部によって解答を認識できた認識可能解答の数を算出する算出部と、
前記認識可能解答が正解か否かを判定する正解判定部と、
前記正解判定部による判定結果に応じたコメントを取得するコメント取得部と、
前記抽出部が抽出した前記正答又は前記ヒントを印刷する印刷部と
を有し、
前記印刷部は、前記答案用紙に含まれる前記問題の総数に対する前記認識可能解答の数の比率が、第１閾値以上の場合にのみ、前記正答又は前記ヒント、及び前記コメント取得部が取得した前記コメントを印刷する、画像形成システム。
【発明の詳細な説明】
【技術分野】
【０００１】
本発明は、画像形成装置、及び画像形成システムに関する。
【背景技術】
【０００２】
近年、複合機などの画像形成装置の機能を拡張する技術が提案されている。例えば、特許文献１には、答案用紙の採点を行う機能を備えた画像形成装置が提案されている。
【０００３】
詳しくは、特許文献１に記載の画像形成装置は、答案用紙に含まれる解答者による解答を認識し、解答の成否を判断して採点を行う。
【先行技術文献】
【特許文献】
【０００４】
【特許文献１】特開平８−７６６８１号公報
【発明の概要】
【発明が解決しようとする課題】
【０００５】
しかしながら、特許文献１に記載の画像形成装置では、解答者は採点結果を得ることができるが、正答又は正答につながるヒントを得ることができない。
【０００６】
本発明は、上記課題に鑑み、解答者が正答又は正答につながるヒントを得ることができる画像形成装置、及び画像形成システムを提供することを目的とする。
【課題を解決するための手段】
【０００７】
本発明の画像形成装置は、読取部と、記憶部と、第１抽出部と、印刷部とを備える。前記読取部は、少なくとも１つの問題を含む答案用紙の答案画像を読み取る。前記記憶部は、前記問題に関連する問題関連情報を記憶する。前記第１抽出部は、前記答案画像に基づいて、前記答案用紙に含まれる前記問題の各々の正答又はヒントを前記問題関連情報から抽出する。前記印刷部は、前記第１抽出部が抽出した前記正答又は前記ヒントを印刷する。
【０００８】
本発明の画像形成システムは、外部端末と画像形成装置とを備える。前記外部端末は、第１通信部と、記憶部とを有する。前記第１通信部は、前記画像形成装置と通信する。前記記憶部は、正答又はヒントを記憶する。前記画像形成装置は、第２通信部と、読取部と、抽出部と、印刷部とを有する。前記第２通信部は、前記外部端末と通信する。前記読取部は、少なくとも１つの問題を含む答案用紙の答案画像を読み取る。前記抽出部は、前記答案画像に基づいて、前記答案用紙に含まれる前記問題の各々の正答又はヒントを前記第１通信部及び前記第２通信部を介して前記記憶部から抽出する。前記印刷部は、前記抽出部が抽出した前記正答又は前記ヒントを印刷する。
【発明の効果】
【０００９】
本発明によれば、解答者が正答又は正答につながるヒントを得ることができる。
【図面の簡単な説明】
【００１０】
【図１】本発明の実施形態１に係る画像形成装置の構成を示すブロック図である。
【図２】本発明の実施形態１に係る答案画像の一例を示す図である。
【図３】本発明の実施形態１に係る正答印刷画像の一例を示す図である。
【図４】本発明の実施形態１に係るヒント印刷画像の一例を示す図である。
【図５】本発明の実施形態１に係る画像形成装置の動作を示すフローチャートである。
【図６】本発明の実施形態１に係る画像形成装置の他の動作を示すフローチャートである。
【図７】本発明の実施形態２に係る画像形成システムの構成を示すブロック図である。
【図８】本発明の実施形態３に係る画像形成装置の構成を示すブロック図である。
【図９】本発明の実施形態３に係る画像形成装置の動作を示すフローチャートである。
【図１０】本発明の実施形態３に係る画像形成装置の他の動作を示すフローチャートである。
【図１１】本発明の実施形態４に係る画像形成装置の構成を示すブロック図である。
【図１２】本発明の実施形態４に係る画像形成装置の動作を示すフローチャートである。
【図１３】本発明の実施形態４に係る画像形成装置の他の動作を示すフローチャートである。
【図１４】本発明の実施形態５に係る画像形成装置の構成を示すブロック図である。
【図１５】本発明の実施形態５に係る正解率印刷画像の一例を示す図である。
【図１６】本発明の実施形態５に係る正解率付きヒント印刷画像の一例を示す図である。
【図１７】本発明の実施形態５に係る画像形成装置の動作を示すフローチャートである。
【図１８】本発明の実施形態５に係る画像形成装置の他の動作を示すフローチャートである。
【図１９】本発明の実施形態６に係る画像形成装置の構成を示すブロック図である。
【図２０】本発明の実施形態６に係る評価コメント印刷画像の一例を示す図である。
【図２１】本発明の実施形態６に係る評価コメント付きヒント印刷画像の一例を示す図である。
【図２２】本発明の実施形態６に係る画像形成装置の動作を示すフローチャートである。
【図２３】本発明の実施形態６に係る画像形成装置の他の動作を示すフローチャートである。
【発明を実施するための形態】
【００１１】
以下、図面を参照して本発明の実施形態に係る画像形成装置、及び画像形成システムについて説明する。なお、図中、同一又は相当部分については同一の参照符号を付して説明を繰り返さない。
【００１２】
［実施形態１］
まず、図１を参照して、画像形成装置１の構成について説明する。図１は、実施形態１に係る画像形成装置１の構成を示すブロック図である。本実施形態において、画像形成装置１は、例えば、複合機、又はコピー機である。
【００１３】
図１に示すように、画像形成装置１は、操作部２、読取部３、印刷部４、装置記憶部７、及び装置制御部９を備える。
【００１４】
操作部２は、ユーザーによる入力操作を受け付けて、入力操作に応じた信号を装置制御部９に送信する。
【００１５】
読取部３は、原稿の画像を読み取って画像データを生成する。本実施形態において、読取部３は、少なくとも１つの問題を含む答案用紙の画像を読み取る。読取部３は、読み取った答案用紙の画像（以下、答案画像と記載する。）の画像データを生成する。
【００１６】
装置記憶部７は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。装置記憶部７は、制御プログラムＰＧを記憶する。また、本実施形態において、装置記憶部７は、答案用紙に含まれる問題に関連する問題関連情報７１を記憶する。問題関連情報７１は、答案用紙に含まれる問題の正答を示す情報、及びヒントを示す情報を含む。また、問題関連情報７１は、正答を印刷するためのレイアウト画像の情報を含む。更に、問題関連情報７１は、答案用紙に含まれる問題の総数の情報を含む。また、問題関連情報７１は、答案用紙における解答欄の位置、ヒントを付加する位置、及びコメントを付加する位置を示す情報を含む。
【００１７】
装置制御部９は、ＣＰＵ（Ｃｅｎｔｒａｌ  Ｐｒｏｃｅｓｓｉｎｇ  Ｕｎｉｔ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成される。装置制御部９は、装置記憶部７に予め記憶された制御プログラムＰＧを実行することによって画像形成装置１の各部の動作を制御する。装置制御部９は、制御プログラムＰＧを実行する際に、ＲＡＭを作業領域として使用する。また、装置制御部９は、制御プログラムＰＧを実行することによって、問題関連情報抽出部９１及び画像データ生成部９２を有するかの如く機能する。問題関連情報抽出部９１は、第１抽出部の一例である。
【００１８】
問題関連情報抽出部９１は、答案画像に基づいて、問題関連情報７１から所定の情報を抽出する。例えば、問題関連情報抽出部９１は、答案用紙に含まれる問題の正答を示す情報又はヒントを示す情報を問題関連情報７１から抽出する。
【００１９】
画像データ生成部９２は、問題関連情報抽出部９１によって抽出された情報に基づいて画像データを生成する。本実施形態において、画像形成装置１は、動作モードとして正答モード及びヒントモードを有する。動作モードが正答モードの場合、画像データ生成部９２は、正答印刷画像の画像データを生成する。正答印刷画像は、問題の各々に対応する正答を含む画像である。動作モードがヒントモードの場合、画像データ生成部９２は、ヒント印刷画像の画像データを生成する。ヒント印刷画像は、問題の各々に対応するヒントを含む画像である。本実施形態において、ヒント印刷画像は、答案画像にヒント画像を付加した画像である。画像形成装置１の動作モードは、ユーザーが操作部２を操作することによって選択（設定）される。
【００２０】
印刷部４は、読取部３が生成した画像データ及び画像データ生成部９２が生成した画像データに基づいてシートに印刷を行う。
【００２１】
次に、図２〜図６を参照して、実施形態１に係る画像形成装置１の動作について説明する。図２は、答案画像Ｄの一例を示す図である。本実施形態において、答案用紙に含まれる問題は、穴埋め問題である。
【００２２】
図２に示す答案画像Ｄが読取部３によって読み取られると、答案画像Ｄの画像データが生成される。答案画像Ｄは、複数の問題の画像Ｑ（以下、問題画像Ｑと記載する。）、解答の画像Ａｎ（以下、解答画像Ａｎと記載する。）、及び答案識別情報の画像ｄｒ（以下、答案識別情報画像ｄｒと記載する。）を含む。解答は、問題に対する解答者の解答である。答案識別情報は、答案用紙の種類を識別するための情報である。本実施形態において、答案識別情報は、例えば、数字、及び文字のような記号を含む。
【００２３】
装置制御部９は、答案画像Ｄに含まれる答案識別情報画像ｄｒに基づいて答案用紙の種類を識別する。答案識別情報の認識には、例えば、ＯＣＲ（Ｏｐｔｉｃａｌ  Ｃｈａｒａｃｔｅｒ  Ｒｅｃｏｇｎｉｔｉｏｎ）技術が用いられる。問題関連情報７１に含まれる情報は、答案識別情報と対応付けられる。答案用紙の種類が識別されると、問題関連情報抽出部９１は、識別された答案用紙の種類に対応する情報を問題関連情報７１から抽出する。
【００２４】
画像形成装置１の動作モードとして、正答モードが選択されている場合、問題関連情報抽出部９１は、正答を示す情報及び正答を印刷するためのレイアウト画像の情報を問題関連情報７１から抽出する。画像データ生成部９２は、問題関連情報７１から抽出された情報に基づいて、正答印刷画像の画像データを生成する。
【００２５】
図３は、正答印刷画像Ｐ１の一例を示す図である。本実施形態では、正答印刷画像Ｐ１は、複数の問題の各々の正答を集めた正答集の画像を含む。図３に示すように、正答印刷画像Ｐ１は、複数の問題の各々に対応する正答画像ｃを含む。各正答画像ｃは、レイアウト画像内に配置される。印刷部４は、画像データ生成部９２によって生成された正答印刷画像Ｐ１の画像データに基づいて、シートに正答印刷画像Ｐ１を印刷する。本実施形態では、画像形成装置１の動作モードが正答モードである場合、印刷部４は、シートの一方の面に答案画像Ｄを印刷し、シートの他方の面に正答印刷画像Ｐ１を印刷する。
【００２６】
また、画像形成装置１の動作モードとして、ヒントモードが選択されている場合、問題関連情報抽出部９１は、ヒントを示す情報及びヒントを付加する位置を示す情報を問題関連情報７１から抽出する。本実施形態において、ヒントは、正答へ導くための情報である。例えば、ヒントは、教科書の参照ページ番号、又は正答に近いキーワードであり得る。画像データ生成部９２は、答案画像Ｄの画像データ、及び問題関連情報７１から抽出された情報に基づいて、答案画像Ｄにヒント画像が付加されたヒント印刷画像の画像データを生成する。
【００２７】
図４は、ヒント印刷画像Ｐ２の一例を示す図である。図４に示すように、画像データ生成部９２は、答案画像Ｄにヒント画像ｈを付加したヒント印刷画像Ｐ２の画像データを生成する。ヒント印刷画像Ｐ２は、複数の問題の各々に対応するヒント画像ｈを含む。本実施形態において、画像データ生成部９２は、ヒントを付加する位置を示す情報にしたがって答案画像Ｄにヒント画像ｈを付加する。具体的には、答案画像Ｄにおける各問題画像Ｑの位置とは異なる位置に各ヒント画像ｈが付加される。印刷部４は、画像データ生成部９２によって生成されたヒント印刷画像Ｐ２の画像データに基づいて、シートにヒント印刷画像Ｐ２を印刷する。
【００２８】
続いて、図５及び図６を参照して、画像形成装置１の動作について詳細に説明する。図５は、画像形成装置１の動作を示すフローチャートである。詳しくは、図５は、正答モードが設定された画像形成装置１の動作を示す。
【００２９】
図５に示すように、答案画像Ｄが読取部３によって読み取られると（ステップＳ１０２）、装置制御部９は、答案画像Ｄに含まれる答案識別情報に基づいて答案用紙の種類を識別する（ステップＳ１０４）。次に、問題関連情報抽出部９１は、識別された答案用紙に含まれる複数の問題の各々の正答を示す情報を問題関連情報７１から抽出する（ステップＳ１０６）。更に問題関連情報抽出部９１は、識別された答案用紙の種類に対応するレイアウト画像の情報を問題関連情報７１から抽出する。問題関連情報抽出部９１によって情報が抽出されると、画像データ生成部９２は、抽出された情報に基づいて正答印刷画像Ｐ１の画像データを生成する（ステップＳ１０８）。次に、印刷部４は、答案画像Ｄの画像データに基づいてシートの一方の面に答案画像Ｄを印刷し、正答印刷画像Ｐ１の画像データに基づいてシートの他方の面に正答印刷画像Ｐ１の印刷を行う（ステップＳ１１０）。この結果、処理は終了する。
【００３０】
次に、図６を参照して、ヒントモードが設定された画像形成装置１の動作について説明する。図６は、画像形成装置１の他の動作を示すフローチャートである。詳しくは、図６は、ヒントモードが設定された画像形成装置１の動作を示す。なお、図６に示すステップＳ１０２、ステップＳ１０４は、図５を参照して説明した処理と同一の処理であるため、説明を省略する。
【００３１】
図６に示すように、装置制御部９によって答案用紙の種類が識別されると（ステップＳ１０４）、問題関連情報抽出部９１は、識別された答案用紙に含まれる複数の問題の各々のヒントを示す情報を問題関連情報７１から抽出する（ステップＳ２０２）。更に、問題関連情報抽出部９１は、識別された答案用紙の種類に対応するヒントを付加する位置を示す情報を問題関連情報７１から抽出する。問題関連情報抽出部９１によって情報が抽出されると、画像データ生成部９２は、答案画像Ｄの画像データと、問題関連情報７１から抽出された情報とに基づいてヒント印刷画像Ｐ２の画像データを生成する（ステップＳ２０４）。印刷部４は、画像データ生成部９２が生成したヒント印刷画像Ｐ２の画像データに基づいてシートにヒント印刷画像Ｐ２の印刷を行い（ステップＳ２０６）、処理は終了する。
【００３２】
以上、実施形態１について説明した。本実施形態によれば、答案画像Ｄを画像形成装置１に読み取らせるだけで、答案画像Ｄに基づいて正答印刷画像Ｐ１が印刷される。つまり、答案用紙の解答者は、答案用紙に含まれる問題の各々の正答を得ることができる。これにより、解答者の利便性が向上する。
【００３３】
また、本実施形態によれば、答案画像Ｄを画像形成装置１に読み取らせるだけで、答案画像Ｄにヒント画像ｈが付加されたヒント印刷画像Ｐ２を得ることができる。つまり、解答者は、答案用紙に含まれる問題の各々の正答につながるヒントを得ることができる。これにより、解答者は、ヒントを頼りに学習することができる。
【００３４】
なお、本実施形態において、シートの一方の面に答案画像Ｄが印刷され、シートの他方の面に正答印刷画像Ｐ１が印刷される形態について説明したが、本発明はこれに限定されない。例えば、正答印刷画像Ｐ１のみがシートに印刷される形態であってもよい。
【００３５】
［実施形態２］
次に、図７を参照して、実施形態２に係る画像形成システム２００について説明する。実施形態２では、第１外部端末１００が問題関連情報７１を記憶する点が実施形態１と異なる。以下、実施形態２について実施形態１と異なる事項を説明し、実施形態１と重複する事項の説明は割愛する。図７は、実施形態２に係る画像形成システム２００の構成を示すブロック図である。
【００３６】
図７に示すように、画像形成システム２００は、画像形成装置１、及び第１外部端末１００を備える。第１外部端末１００は、例えば、サーバー、又はクライアントＰＣである。
【００３７】
画像形成装置１は、第１通信部の一例として装置通信部５を更に備える。装置通信部５は、通信用のインターフェースである。装置通信部５は、ＬＡＮ（Ｌｏｃａｌ  Ａｒｅａ  Ｎｅｔｗｏｒｋ）などのようなネットワークに接続された第１外部端末１００との間で通信を行う。
【００３８】
第１外部端末１００は、第２通信部の一例である端末通信部１０１、端末記憶部１０２、及び端末制御部１１０を備える。端末通信部１０１は、通信用のインターフェースである。端末通信部１０１は、装置通信部５と通信可能に接続される。端末記憶部１０２は、ＨＤＤ、ＲＡＭ、及びＲＯＭによって構成される。本実施形態において、端末記憶部１０２は、問題関連情報７１を記憶する。
【００３９】
端末制御部１１０は、ＣＰＵ等によって構成される。端末制御部１１０は、画像形成装置１の問題関連情報抽出部９１から問題関連情報７１に含まれる情報の送信が要求されると、問題関連情報抽出部９１から要求された情報を端末記憶部１０２（問題関連情報７１）から抽出する。抽出された情報は、端末通信部１０１を介して画像形成装置１へ送信される。
【００４０】
以上、実施形態２について説明した。本実施形態によれば、画像形成装置１は、問題関連情報７１を記憶する必要がなくなる。この結果、装置記憶部７の記憶領域を節約することができる。
【００４１】
なお、本実施形態において、画像形成システム２００を構成する画像形成装置１が１台である場合を例に説明したが、画像形成システム２００を構成する画像形成装置１は１台に限定されない。例えば、画像形成システム２００を構成する画像形成装置１は２台以上であってもよい。この場合、解答者は、答案画像Ｄの読み取りを実行させる画像形成装置１を複数の画像形成装置１のうちから選択することができる。この結果、解答者の利便性が向上する。
【００４２】
［実施形態３］
次に、図８〜図１０を参照して、実施形態３に係る画像形成装置１について説明する。実施形態３では、答案画像Ｄの画像データが第２外部端末３００へ送信される点が実施形態１及び実施形態２と異なる。以下、実施形態３について実施形態１及び実施形態２と異なる事項を説明し、実施形態１及び実施形態２と重複する事項の説明は割愛する。図８は、実施形態３に係る画像形成装置１の構成を示すブロック図である。
【００４３】
図８に示すように、装置通信部５は、ＬＡＮなどのようなネットワークに接続された第２外部端末３００と通信可能に接続する。第２外部端末３００は、例えば、サーバー、又はクライアントＰＣである。本実施形態において、第２外部端末３００は、答案用紙の出題者が使用するサーバー又はクライアントＰＣである。装置制御部９は、読取部３が答案画像Ｄを読み取ると、装置通信部５を介して、答案画像Ｄの画像データを第２外部端末３００へ送信する。なお、装置制御部９は、答案画像Ｄの画像データを第２外部端末３００へ送信すると、その旨を出題者にメールなどで通知してもよい。
【００４４】
第２外部端末３００は、画像形成装置１から送信された答案画像Ｄの画像データを記憶する。出題者は、第２外部端末３００に記憶された答案画像Ｄの画像データに基づいて答案画像Ｄを得ることができる。
【００４５】
続いて、図９、及び図１０を参照して、実施形態３に係る画像形成装置１の動作について説明する。図９は、画像形成装置１の動作を示すフローチャートである。詳しくは、図９は、正答モードが設定された画像形成装置１の動作を示す。図９に示すように、実施形態１において説明した画像形成装置１の動作（図５参照）と比べて、ステップＳ３０２がステップＳ１０２及びステップＳ１０４の間に追加される。
【００４６】
図９に示すように、読取部３が答案画像Ｄを読み取ると（ステップＳ１０２）、装置制御部９は、装置通信部５を介して答案画像Ｄの画像データを第２外部端末３００へ送信する（ステップＳ３０２）。以降、実施形態１と同様にして処理が実行される（ステップＳ１０４〜ステップＳ１１０）。
【００４７】
次に、図１０を参照してヒントモードが設定された画像形成装置１の動作について説明する。図１０は、画像形成装置１の他の動作を示すフローチャートである。詳しくは、図１０は、ヒントモードが設定された画像形成装置１の動作を示す。図１０に示すように、実施形態１において説明した画像形成装置１の動作（図６参照）と比べて、ステップＳ３０２がステップＳ１０２及びステップＳ１０４の間に追加される。つまり、答案用紙の種類の識別処理（ステップＳ１０４）が実行される前に、答案画像Ｄの画像データが第２外部端末３００へ送信される（ステップＳ３０２）。
【００４８】
以上、実施形態３に係る画像形成装置１について説明した。本実施形態によれば、答案画像Ｄの画像データは、答案用紙の出題者が使用する第２外部端末３００へ送信される。このため、解答者は、出題者へ答案画像Ｄが送信されることを意識した上で答案画像Ｄを画像形成装置１に読み取らせることとなる。したがって、安易に正答又は正答につながるヒントを得ようとする行為を抑制することができる。
【００４９】
［実施形態４］
次に、図１１〜図１３を参照して、実施形態４に係る画像形成装置１について説明する。実施形態４では、実施形態１〜実施形態３と異なり、印刷部４は、認識可能解答比率が第１閾値以上の場合にのみ印刷を行う。認識可能解答比率は、答案用紙に含まれる問題の総数に対する認識可能解答数の比率を示す。認識可能解答数は、文字を認識できた解答の数を示す。以下、実施形態４について実施形態１〜実施形態３と異なる事項を説明し、実施形態１〜実施形態３と重複する事項の説明は割愛する。図１１は、実施形態４に係る画像形成装置１の構成を示すブロック図である。
【００５０】
図１１に示すように、装置制御部９は、問題関連情報抽出部９１、画像データ生成部９２、解答認識部９３、及び算出部９４を有するかの如く機能する。
【００５１】
問題関連情報抽出部９１は、認識可能解答比率を算出するために、識別された答案用紙に含まれる問題の総数の情報、及び識別された答案用紙における解答欄の位置を示す情報を問題関連情報７１から抽出する。
【００５２】
解答認識部９３は、答案用紙に含まれる問題に対する解答者の解答を認識する。詳しくは、解答認識部９３は、問題関連情報７１から抽出された解答欄の位置を示す情報に基づいて、答案画像Ｄ（図２参照）に含まれる解答画像Ａｎを認識する。また、解答認識部９３は、解答画像Ａｎに含まれる文字（解答）を認識する。文字の認識には、例えば、ＯＣＲ技術が用いられる。
【００５３】
算出部９４は、解答認識部９３によって文字が認識された解答の数（認識可能解答数）を算出する。また、算出部９４は、認識可能解答比率を算出する。詳しくは、算出部９４は、認識可能解答数を問題関連情報７１から抽出された問題の総数で除算することによって、認識可能解答比率を算出する。
【００５４】
装置記憶部７は、制御プログラムＰＧ、問題関連情報７１、及び第１閾値Ｔ１を記憶する。第１閾値Ｔ１は、認識可能解答比率に対して設定される閾値である。第１閾値Ｔ１は、予め出題者によって任意に設定され、装置記憶部７に記憶される。
【００５５】
本実施形態において、装置制御部９は、認識可能解答比率が第１閾値Ｔ１以上であるか否かを判定する。
【００５６】
続いて、図１２及び図１３を参照して、実施形態４に係る画像形成装置１の動作について説明する。図１２は、画像形成装置１の動作を示すフローチャートである。詳しくは、図１２は、正答モードが設定された画像形成装置１の動作を示す。図１２に示すように、実施形態１において説明した画像形成装置１の動作（図５参照）と比べて、ステップＳ４０２〜ステップＳ４０６がステップＳ１０４とステップＳ１０６との間に追加される。
【００５７】
図１２に示すように、答案用紙の種類が装置制御部９によって識別されると（ステップＳ１０４）、解答認識部９３は、答案に含まれる問題に対する解答者の解答を認識する（ステップＳ４０２）。次いで、算出部９４は、認識可能解答比率を算出する（ステップＳ４０４）。装置制御部９は、算出部９４が算出した認識可能解答比率が第１閾値Ｔ１以上であるか否かを判定する（ステップＳ４０６）。第１閾値Ｔ１は、例えば８０％である。
【００５８】
装置制御部９によって認識可能解答比率が第１閾値Ｔ１以上であると判定されると（ステップＳ４０６：Ｙｅｓ）、以降、実施形態１と同様にして処理が実行される（ステップＳ１０６〜ステップＳ１１０）。一方、装置制御部９によって認識可能解答比率が第１閾値Ｔ１以上ではないと判定されると（ステップＳ４０６：Ｎｏ）、処理は終了する。
【００５９】
次に、図１３を参照して、ヒントモードが設定された画像形成装置１の動作について説明する。図１３は、画像形成装置１の他の動作を示すフローチャートである。詳しくは、図１３は、ヒントモードが設定された画像形成装置１の動作を示す。図１３に示すように、実施形態１において説明した画像形成装置１の動作（図６参照）と比べて、ステップＳ４０２〜ステップＳ４０６がステップＳ１０４とステップＳ２０２との間に追加される。つまり、認識可能解答比率が第１閾値Ｔ１以上であると判定された場合にのみ、ヒント印刷画像Ｐ２が印刷される。
【００６０】
以上、実施形態４に係る画像形成装置１について説明した。本実施形態によれば、印刷部４は、認識可能解答比率が第１閾値Ｔ１以上の場合にのみ、正答又はヒントを印刷する。換言すれば、印刷部４は、認識可能解答比率が第１閾値Ｔ１未満の場合、正答又はヒントを印刷しない。このため、例えば、解答を一切記入せずに答案用紙を画像形成装置１に読み取らせることによって、正答又はヒントを得ようとする解答者の行為を抑制することができる。
【００６１】
［実施形態５］
次に、図１４〜図１８を参照して、実施形態５に係る画像形成装置１について説明する。実施形態５では、実施形態１〜実施形態４と異なり、印刷部４は、答案画像Ｄにコメントの画像（以下、コメント画像と記載する）を付加したコメント印刷画像を印刷する。以下、実施形態５について実施形態１〜実施形態４と異なる事項を説明し、実施形態１〜実施形態４と重複する事項の説明は割愛する。図１４は、実施形態５に係る画像形成装置１の構成を示すブロック図である。
【００６２】
図１４に示すように、装置記憶部７は、制御プログラムＰＧ、問題関連情報７１、読取数７２、正解数７３、及び第２閾値Ｔ２を記憶する。読取数７２は、読取部３が読み取った同一種類の答案用紙の数を示す。第２閾値Ｔ２は、認識された答案用紙に含まれる各問題の正解率の母数に対して設定される閾値である。本実施形態において、読取数７２が正解率の母数である。第２閾値Ｔ２は、予め出題者によって任意に設定され、装置記憶部７に記憶される。
【００６３】
装置制御部９は、問題関連情報抽出部９１、画像データ生成部９２、解答認識部９３、正解判定部９５、及びコメント取得部９６を有するかの如く機能する。装置制御部９は、読取部３が読み取った答案用紙の数を答案用紙の種類ごとに計数する。装置制御部９は、計数値を読取数７２として装置記憶部７に記憶させる。また、装置制御部９は、正解率の母数（読取数７２）が第２閾値Ｔ２以上であるか否かを判定する。
【００６４】
問題関連情報抽出部９１は、コメント印刷画像の画像データを生成するために、識別された答案用紙における解答欄の位置、及びコメント（コメント画像）を付加する位置を示す情報を問題関連情報７１から抽出する。更に、本実施形態では、動作モードがヒントモードである場合にも、問題関連情報抽出部９１は、問題関連情報７１から正答を示す情報を抽出する。
【００６５】
正解判定部９５は、解答認識部９３が認識した文字（解答）に基づいて、答案用紙に含まれる問題に対する解答者の解答が正解か否かを判定する。詳しくは、正解判定部９５は、問題関連情報抽出部９１が抽出した問題の正答と、解答認識部９３が認識した解答とが一致しているか否かによって、解答者の解答が正解か否かを判定する。
【００６６】
コメント取得部９６は、正解判定部９５による判定結果に応じたコメントを取得する。本実施形態において、コメント取得部９６は、正解率取得部９６１を含む。正解率取得部９６１は、答案用紙に含まれる問題の各々の正解率を取得する。詳しくは、正解率取得部９６１は、答案用紙に含まれる各問題ごとに、正解判定部９５によって解答が正解と判定された回数を計数する。正解率取得部９６１は、計数値を正解数７３として装置記憶部７に記憶する。正解率取得部９６１は、各問題に対応する正解数７３と、読取数７２とに基づいて正解率を取得する。
【００６７】
画像データ生成部９２は、答案画像Ｄの画像データ、問題関連情報抽出部９１が抽出したコメントを付加する位置を示す情報、及びコメント取得部９６が取得したコメントに基づいて、コメント印刷画像の画像データを生成する。本実施形態では、コメントとして、正解率の画像（以下、正解率画像と記載する。）が答案画像Ｄに付加された画像の画像データが生成される。コメント印刷画像の画像データは、読取数７２（正解率の母数）が第２閾値Ｔ２以上の場合に生成される。
【００６８】
印刷部４は、画像データ生成部９２が生成したコメント印刷画像の画像データに基づいて、シートにコメント印刷画像を印刷する。
【００６９】
図１５は、実施形態５に係る正解率印刷画像Ｐ３の一例を示す図である。画像データ生成部９２は、画像形成装置１の動作モードが正答モードである場合に、コメント印刷画像として正解率印刷画像Ｐ３の画像データを生成する。本実施形態では、画像形成装置１の動作モードが正答モードである場合に、シートの一方の面に正解率印刷画像Ｐ３が印刷され、シートの他方の面に正答印刷画像Ｐ１（図３参照）が印刷される。図１５に示すように、正解率印刷画像Ｐ３は、コメント画像として正解率画像ｃｍ１を含む。本実施形態において、正解率画像ｃｍ１は、分数の画像である。
【００７０】
図１６は、実施形態５に係る正解率付きヒント印刷画像Ｐ４の一例を示す図である。画像データ生成部９２は、画像形成装置１の動作モードがヒントモードである場合に、コメント印刷画像として正解率付きヒント印刷画像Ｐ４の画像データを生成する。本実施形態では、画像形成装置１の動作モードがヒントモードである場合に、シートの一方の面に正解率付きヒント印刷画像Ｐ４が印刷される。図１６に示すように、正解率付きヒント印刷画像Ｐ４は、ヒント画像ｈ及び正解率画像ｃｍ１を含む。
【００７１】
続いて、図１７及び図１８を参照して、実施形態５に係る画像形成装置１の動作について説明する。図１７は、画像形成装置１の動作を示すフローチャートである。詳しくは、図１７は、正答モードが設定された画像形成装置１の動作を示す。
【００７２】
図１７に示すように、答案画像Ｄが読取部３によって読み取られると（ステップＳ５０２）、装置制御部９は、答案画像Ｄに含まれる答案識別情報に基づいて答案用紙の種類を識別する（ステップＳ５０４）。次に、問題関連情報抽出部９１は、答案画像Ｄに基づいて、問題関連情報７１から所定の情報を抽出する（ステップＳ５０６）。つまり、識別された答案用紙の種類に対応する情報が問題関連情報７１から抽出される。具体的には、正答を示す情報、レイアウト画像の情報、解答欄の位置を示す情報、及びコメントを付加する位置を示す情報が問題関連情報７１から抽出される。
【００７３】
次に、装置制御部９は、読取数７２が第２閾値Ｔ２以上であるか否かを判定する（ステップＳ５０８）。第２閾値Ｔ２は、例えば、１０である。装置制御部９によって、読取数７２が第２閾値Ｔ２以上であると判定されると（ステップＳ５０８：Ｙｅｓ）、解答認識部９３は、答案用紙に含まれる問題に対する解答者の解答を認識する（ステップＳ５１０）。
【００７４】
次に、正解判定部９５は、答案用紙に含まれる問題に対する解答者の解答が正解か否かを判定する（ステップＳ５１２）。次に、正解率取得部９６１は、答案用紙に含まれる問題の正解率を取得する（ステップＳ５１４）。次に、画像データ生成部９２は、画像データを生成する（ステップＳ５１６）。詳しくは、画像データ生成部９２は、答案画像Ｄに正解率画像ｃｍ１が付加された正解率印刷画像Ｐ３の画像データを生成する。また、画像データ生成部９２は、正答印刷画像Ｐ１の画像データを生成する。一方、読取数７２が第２閾値Ｔ２以上ではないと判定されると（ステップＳ５０８：Ｎｏ）、画像データ生成部９２は、正答印刷画像Ｐ１の画像データを生成する。
【００７５】
印刷部４は、生成された画像データに基づいて印刷を実行する（ステップＳ５１８）。詳しくは、読取数７２が第２閾値Ｔ２以上であると判定されると、シートの一方の面に正解率印刷画像Ｐ３が印刷され、シートの他方の面に正答印刷画像Ｐ１が印刷される。一方、読取数７２が第２閾値Ｔ２以上ではないと判定されると、シートの一方の面に答案画像Ｄが印刷され、シートの他方の面に正答印刷画像Ｐ１が印刷される。この結果、処理は終了する。
【００７６】
次に、図１８を参照して、ヒントモードが設定された画像形成装置１の動作について説明する。図１８は、画像形成装置１の他の動作を示すフローチャートである。詳しくは、図１８は、ヒントモードが設定された画像形成装置１の動作を示す。なお、図１８に示すステップＳ５０２、ステップＳ５０４及びステップＳ５０８〜ステップＳ５１４は、図１７を参照して説明した処理と同一の処理であるため、説明を省略する。
【００７７】
図１８に示すように、装置制御部９が答案用紙の種類を識別すると（ステップＳ５０４）、問題関連情報抽出部９１は、答案画像Ｄに基づいて問題関連情報７１から所定の情報を抽出する（ステップＳ６０２）。つまり、識別された答案用紙の種類に対応する情報が問題関連情報７１から抽出される。具体的には、正答を示す情報、解答欄の位置を示す情報、ヒントを示す情報、ヒントを付加する位置を示す情報、及びコメントを付加する位置を示す情報が問題関連情報７１から抽出される。
【００７８】
また、装置制御部９によって、読取数７２が第２閾値Ｔ２以上であると判定されると（ステップＳ５０８：Ｙｅｓ）、正答モードの場合と同様の処理を経て、答案用紙に含まれる各問題の正解率が取得される（ステップＳ５１０〜ステップＳ５１４）。次に、画像データ生成部９２は、答案画像Ｄにヒント画像ｈ及び正解率画像ｃｍ１が付加された正解率付きヒント印刷画像Ｐ４の画像データを生成する（ステップＳ６０４）。
【００７９】
一方、読取数７２が第２閾値Ｔ２以上ではないと判定されると（ステップＳ５０８：Ｎｏ）、画像データ生成部９２は、ヒント印刷画像Ｐ２（図４参照）の画像データを生成する（ステップＳ６０４）。
【００８０】
印刷部４は、生成された画像データに基づいてシートにヒント印刷画像Ｐ２又は正解率付きヒント印刷画像Ｐ４を印刷する（ステップＳ６０６）。この結果、処理は終了する。
【００８１】
以上、実施形態５について説明した。本実施形態によれば、答案画像Ｄに正解率画像ｃｍ１が付加された画像がシートに印刷される。これにより、出題者は、答案用紙にコメントとして正解率を記載する手間が省ける。この結果、出題者の利便性が向上する。
【００８２】
なお、本実施形態において、印刷部４は、読取数７２が第２閾値Ｔ２以上の場合に、コメントとして正解率を印刷したが、本発明はこれに限定されない。例えば、読取数７２に関わらず、正解率が印刷されてもよい。
【００８３】
また、本実施形態において、正解率画像ｃｍ１は、分数であったが、正解率画像ｃｍ１は、これに限定されない。例えば、正解率画像ｃｍ１は、正解数７３を問題の総数で除算した値であってもよい。
【００８４】
［実施形態６］
次に、図１９〜図２３を参照して、実施形態６に係る画像形成装置１について説明する。実施形態６では、実施形態１〜実施形態５と異なり、印刷部４は、コメント印刷画像として、答案画像Ｄに評価コメントの画像（以下、評価コメント画像と記載する。）を付加した画像を印刷する。以下、実施形態６について実施形態１〜実施形態５と異なる事項を説明し、実施形態１〜実施形態５と重複する事項の説明は割愛する。図１９は、実施形態６に係る画像形成装置１の構成を示すブロック図である。
【００８５】
装置記憶部７は、制御プログラムＰＧ、問題関連情報７１、読取数７２、正解数７３、評価コメント７４、第３閾値Ｔ３、及び第４閾値Ｔ４を記憶する。評価コメント７４は、例えば、「素晴らしい」のようなコメントを含む。第３閾値Ｔ３は、識別された答案用紙に含まれる各問題の正解率に対して設定される閾値である。装置制御部９は、正解率の値が第３閾値Ｔ３未満であるか否かを判定する。第３閾値Ｔ３は、例えば、１０％である。第４閾値Ｔ４は、読取数７２に対して設定される閾値である。本実施形態において、第４閾値Ｔ４は、実施形態５において説明した第２閾値Ｔ２と同じ値（１０）である。第３閾値Ｔ３、及び第４閾値Ｔ４は、予め出題者によって任意に設定され、装置記憶部７に記憶される。
【００８６】
コメント取得部９６は、正解率取得部９６１、及び第２抽出部の一例である評価コメント抽出部９６２を含む。評価コメント抽出部９６２は、正解率取得部９６１によって取得された正解率と、正解判定部９５による判定結果とに応じた評価コメント７４を装置記憶部７から抽出する。本実施形態において、評価コメント抽出部９６２は、正解判定部９５によって解答が正解であると判定された場合に、評価コメント７４を装置記憶部７から抽出する。
【００８７】
画像データ生成部９２は、答案画像Ｄの画像データ、問題関連情報抽出部９１が抽出したコメントを付加する位置を示す情報、及び評価コメント抽出部９６２が抽出した評価コメント７４に基づいて、評価コメント画像を答案画像Ｄに付加した画像の画像データを生成する。詳しくは、画像形成装置１の動作モードが正答モードの場合、画像データ生成部９２は、答案画像Ｄに評価コメント画像を付加した評価コメント印刷画像の画像データを生成する。また、画像形成装置１の動作モードがヒントモードの場合、画像データ生成部９２は、答案画像Ｄにヒント画像ｈ、及び評価コメント画像を付加した評価コメント付きヒント印刷画像の画像データを生成する。
【００８８】
図２０は、実施形態６に係る評価コメント印刷画像Ｐ５の一例を示す図である。画像データ生成部９２は、画像形成装置１の動作モードが正答モードである場合に、コメント印刷画像として評価コメント印刷画像Ｐ５の画像データを生成する。本実施形態では、画像形成装置１の動作モードが正答モードである場合に、シートの一方の面に評価コメント印刷画像Ｐ５が印刷され、シートの他方の面に正答印刷画像Ｐ１が印刷される。図２０に示すように、評価コメント印刷画像Ｐ５は、コメント画像として評価コメント画像ｃｍ２を含む。
【００８９】
図２１は、実施形態６に係る評価コメント付きヒント印刷画像Ｐ６の一例を示す図である。画像データ生成部９２は、画像形成装置１の動作がヒントモードである場合に、コメント印刷画像として評価コメント付きヒント印刷画像Ｐ６の画像データを生成する。本実施形態では、画像形成装置１の動作モードがヒントモードである場合に、シートの一方の面に評価コメント付きヒント印刷画像Ｐ６が印刷される。図２１に示すように、評価コメント付きヒント印刷画像Ｐ６は、ヒント画像ｈ、及び評価コメント画像ｃｍ２を含む。
【００９０】
続いて、図２２及び図２３を参照して、実施形態６に係る画像形成装置１の動作について説明する。図２２は、画像形成装置１の動作を示すフローチャートである。詳しくは、図２２は、正答モードが設定された画像形成装置１の動作を示す。図２２に示すように、実施形態５において説明した画像形成装置１の動作（図１７参照）と比べて、ステップＳ７０２、及びステップＳ７０４がステップＳ５１４の後に追加され、ステップＳ７０６、及びステップＳ７０８がステップＳ５１６及びステップＳ５１８に替えて実行される。
【００９１】
正解率取得部９６１が正解率を取得すると（ステップＳ５１４）、装置制御部９は、正解率が第３閾値Ｔ３未満であるか否かを判定する（ステップＳ７０２）。装置制御部９によって、正解率が第３閾値Ｔ３未満であると判定されると（ステップＳ７０２：Ｙｅｓ）、問題の解答が正解であることを条件に、評価コメント抽出部９６２は、装置記憶部７から評価コメント７４を示す情報を抽出する（ステップＳ７０４）。
【００９２】
画像データ生成部９２は、答案画像Ｄの画像データ、評価コメント７４、及び問題関連情報７１から抽出された情報に基づいて評価コメント印刷画像Ｐ５の画像データを生成する（ステップＳ７０６）。詳しくは、画像データ生成部９２は、答案画像Ｄに評価コメント画像ｃｍ２が付加された画像の画像データを生成する。また、画像データ生成部９２は、正答印刷画像Ｐ１の画像データを生成する。一方、装置制御部９によって、正解率が第３閾値Ｔ３未満ではないと判定されると（ステップＳ７０２：Ｎｏ）、画像データ生成部９２は、正答印刷画像Ｐ１の画像データを生成する。
【００９３】
印刷部４は、生成された画像データに基づいてシートに印刷を実行する（ステップＳ７０８）。詳しくは、正解率が第３閾値Ｔ３未満であると判定されると、シートの一方の面に評価コメント印刷画像Ｐ５が印刷され、シートの他方の面に正答印刷画像Ｐ１が印刷される。一方、正解率が第３閾値Ｔ３未満ではないと判定されると、シートの一方の面に答案画像Ｄが印刷され、シートの他方の面に正答印刷画像Ｐ１が印刷される。この結果、処理は終了する。
【００９４】
次に、図２３を参照して、ヒントモードが設定された画像形成装置１の動作について説明する。図２３は、画像形成装置１の他の動作を示すフローチャートである。詳しくは、図２３は、ヒントモードが設定された画像形成装置１の動作を示す。
【００９５】
図２３に示すように、正答モードが設定された画像形成装置１の動作（図２２参照）と比べて、ステップＳ７０６、及びステップＳ７０８に替えて、ステップＳ８０２、及びステップＳ８０４が実行される。つまり、正解率が第３閾値Ｔ３未満であると判定された場合（ステップＳ７０２：Ｙｅｓ）に、答案画像Ｄにヒント画像ｈ、及び評価コメント画像ｃｍ２が付加された評価コメント付きヒント印刷画像Ｐ６の画像データが生成される（ステップＳ８０２）。印刷部４は、評価コメント付きヒント印刷画像Ｐ６をシートの一方の面に印刷する（ステップＳ８０４）。この結果、処理は終了する。
【００９６】
一方、正解率が第３閾値Ｔ３未満ではないと判定された場合（ステップＳ７０２：Ｎｏ）、ヒント印刷画像Ｐ２の画像データが生成される（ステップＳ８０２）。印刷部４は、ヒント印刷画像Ｐ２をシートに印刷する（ステップＳ８０４）。この結果、処理は終了する。
【００９７】
以上、実施形態６について説明した。本実施形態によれば、評価コメント７４が印刷される。これにより、出題者は、答案用紙にコメントとして評価を記載する手間が省ける。また、解答者は自身の解答に対する評価を得ることができる。この結果、解答者のモチベーションを向上させることができる。
【００９８】
なお、本実施形態において、印刷部４は、正解率の母数が第４閾値Ｔ４以上であって、正解率が第３閾値Ｔ３未満の場合に、評価コメントをシートに印刷したが、本発明はこれに限定されない。例えば、正解率の母数にかかわらず、正解率が第３閾値Ｔ３未満の場合に、評価コメントがシートに印刷されてもよい。
【００９９】
また、本実施形態では、解答者による解答が正解である場合に評価コメント７４を印刷する場合を例に説明したが、本発明はこれに限定されない。例えば、解答者による解答が不正解の場合に評価コメント７４が印刷されてもよい。この場合、正解率が第５閾値以上の場合に、評価コメント７４が印刷されてもよい。評価コメント７４は、例えば、「もう少し頑張りましょう」等があり得る。第５閾値は、例えば６０％である。
【０１００】
以上、本発明の実施形態について、図面（図１〜図２３）を参照しながら説明した。但し、本発明は、上記の実施形態に限られるものではなく、その要旨を逸脱しない範囲で種々の態様において実施することが可能である。
【０１０１】
例えば、本発明の実施形態では、本発明が穴埋め問題に適用される場合を例に説明したが、本発明はこれに限定されない。例えば、本発明は、問題用紙と解答用紙とが別のシートである場合にも適用可能である。
【０１０２】
また、本発明の実施形態では、正答印刷画像Ｐ１が、正答集の画像である場合を例に説明したが、正答印刷画像Ｐ１は、これに限定されない。例えば、正答印刷画像Ｐ１は、答案用紙の画像に解答画像Ａｎが付加された画像であってもよい。
【０１０３】
また、本発明の実施形態では、ヒント印刷画像Ｐ２が、答案画像Ｄにヒント画像ｈが付加された画像である場合を例に説明したが、ヒント印刷画像Ｐ２は、これに限定されない。例えば、ヒント印刷画像Ｐ２は、各問題のヒントを集めたヒント集の画像であってもよい。
【０１０４】
なお、各実施形態１〜６において説明した事項は、適宜組み合わせ可能である。例えば、実施形態２において説明した構成と、実施形態３において説明した構成とを組み合わせてもよい。この場合、問題関連情報７１が第１外部端末１００に記憶され、答案画像Ｄの画像データが第２外部端末３００へ送信される。
【産業上の利用可能性】
【０１０５】
本発明は、画像形成装置に有用である。
【符号の説明】
【０１０６】
１        画像形成装置
３        読取部
４        印刷部
７        記憶部
９１      問題関連情報抽出部
【図１】
0006390576.tif 000002
【図２】
0006390576.tif 000003
【図３】
0006390576.tif 000004
【図４】
0006390576.tif 000005
【図５】
0006390576.tif 000006
【図６】
0006390576.tif 000007
【図７】
0006390576.tif 000008
【図８】
0006390576.tif 000009
【図９】
0006390576.tif 000010
【図１０】
0006390576.tif 000011
【図１１】
0006390576.tif 000012
【図１２】
0006390576.tif 000013
【図１３】
0006390576.tif 000014
【図１４】
0006390576.tif 000015
【図１５】
0006390576.tif 000016
【図１６】
0006390576.tif 000017
【図１７】
0006390576.tif 000018
【図１８】
0006390576.tif 000019
【図１９】
0006390576.tif 000020
【図２０】
0006390576.tif 000021
【図２１】
0006390576.tif 000022
【図２２】
0006390576.tif 000023
【図２３】
0006390576.tif 000024